(57)【要約】【課題】ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる基板保護ケース、及びこの基板保護ケースを用いた遊技機を提供する。【解決手段】電子部品を搭載した制御基板Ｂを内部に収容し、且つ該制御基板面と平行な方向へスライドすることにより開閉可能に構成された少なくとも２つのケース片２、１０から成る基板保護ケース１であって、各ケース片の閉止時には封印端部２０の先端縁同士が近接して突き合わせ部を構成し、何れか一方のケース片の制御基板面と略平行なケース片面には、ガイド穴４０を形成し、他方のケース片の内壁から前記ガイド穴内へ突出する突起４５を設けて両ケース片が相対的にスライドする際に該突起が該ガイド穴内を移動するように構成した。【選択図】図３
2010088500.tif 000002
【特許請求の範囲】
【請求項１】
電子部品を搭載した制御基板を内部に収容し、且つ該制御基板面と平行な方向へスライドすることにより開閉可能に構成された少なくとも２つのケース片から成る基板保護ケースであって、
前記各ケース片の閉止時には、各ケース片の一端部に夫々設けた各封印片の先端縁同士が近接して突き合わせ部を構成し、
何れか一方の前記ケース片の前記制御基板面と略平行なケース片面には、前記スライド方向へ延びるガイド穴を形成し、他方の前記ケース片の内壁から前記ガイド穴内へ突出する突起を設けて両ケース片が相対的にスライドする際に該突起が該ガイド穴内を移動するように構成したことを特徴とする基板保護ケース。
【請求項２】
前記各ケース片に跨って接着されることにより前記突き合わせ部を封印する接着シートと、該接着シート面に固定されたＩＣチップ、及び該ＩＣチップから延びる導体パターンを含んだＲＦＩＤと、を有した封印シールを備え、
前記ガイド穴に位置する前記突起の先端部を前記封印シールと接着させたことを特徴とする請求項１に記載の基板保護ケース。
【請求項３】
前記ＲＦＩＤの一部が前記ガイド穴内に位置するように前記封印シールを接着したことを特徴とする請求項１、又は２に記載の基板保護ケース。
【請求項４】
請求項１乃至３の何れか一項に記載の基板保護ケースを備えたことを特徴とする遊技機。
【請求項５】
前記基板保護ケースが前記遊技機の背面に取り付けられた状態において、
前記ガイド穴を、前記遊技機に装備された遊技盤と並行なケース片面に設けたことを特徴とする請求項４に記載の遊技機。
【発明の詳細な説明】
【技術分野】
【０００１】
本発明は、パチンコ遊技機、スロットマシン等の各種遊技機に搭載されたＲＯＭを交換する等の不正行為のために基板保護ケースが開放された形跡を確実に残して不正行為を発見可能とし、効果的に予防することができる基板保護ケース、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が更に巧妙化することにより、結合手段を破壊してＲＯＭを交換した後で、形跡が残らないように新たな結合手段を組み付ける可能性がある。
【０００３】
特許文献２にも不正防止のための装置構成が開示されているが、特許文献１の場合と同様の欠点を有している。
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図６及び図７は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した場合には、後の修復作業によって導体パターンを再導通させることが比較的容易となる。
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の開示】
【発明が解決しようとする課題】
【０００６】
以上のように、ＲＯＭを搭載した制御基板を収容する基板保護ケースが不正に開放された形跡が残るようにするために、ＲＦＩＤを組み込んだ封印シールによって基板保護ケースを封印する方法を採用した場合には、基板保護ケースの開放によって封印シール及びＲＦＩＤを一旦破断、断線させたとしても基板保護ケースの再閉止時に封印シールを修復してＲＦＩＤによる通信機能を回復させることが可能であった。
本発明は上記に鑑みてなされたものであり、ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる基板保護ケース、及びこの基板保護ケースを用いた遊技機を提供することを目的としている。
【課題を解決するための手段】
【０００７】
上記目的を達成するため、請求項１の発明に係る基板保護ケースは、電子部品を搭載した制御基板を内部に収容し、且つ該制御基板面と平行な方向へスライドすることにより開閉可能に構成された少なくとも２つのケース片から成る基板保護ケースであって、  前記各ケース片の閉止時には、各ケース片の一端部に夫々設けた各封印片の先端縁同士が近接して突き合わせ部を構成し、何れか一方の前記ケース片の前記制御基板面と略平行なケース片面には、前記スライド方向へ延びるガイド穴を形成し、他方の前記ケース片の内壁から前記ガイド穴内へ突出する突起を設けて両ケース片が相対的にスライドする際に該突起が該ガイド穴内を移動するように構成したことを特徴とする。
基板保護ケースを不正に開放した場合には、ガイド穴内に位置する突起の先端部が封印シールを破断させるようにしたので、ケース片の端縁同士の突き合わせ部に接着された封印シール、及び封印シール上のＲＦＩＤが著しく破損されることとなり、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
【０００８】
請求項２の発明に係る基板保護ケースは、請求項１において、前記各ケース片に跨って接着されることにより前記突き合わせ部を封印する接着シートと、該接着シート面に固定されたＩＣチップ、及び該ＩＣチップから延びる導体パターンを含んだＲＦＩＤと、を有した封印シールを備え、前記ガイド穴に位置する前記突起の先端部を前記封印シールと接着させたことを特徴とする。
請求項３の発明に係る基板保護ケースは、請求項１、又は２において、前記ＲＦＩＤの一部が前記ガイド穴内に位置するように前記封印シールを接着したことを特徴とする。
請求項４の発明に係る遊技機は、請求項１乃至３の何れか一項に記載の基板保護ケースを備えたことを特徴とする。
請求項５の発明に係る遊技機は、前記基板保護ケースが前記遊技機の背面に取り付けられた状態において、前記ガイド穴を、前記遊技機に装備された遊技盤と並行なケース片面に設けたことを特徴とする。
これによれば、ガイド穴が遊技機背面側から目視可能な位置にあるため、ガイド穴を塞ぐ封印シールが破断された状態を容易に視認できる。
【発明の効果】
【０００９】
以上のように本発明によれば、基板保護ケースを不正に開放した場合に、必ずケース片の端縁同士の突き合わせ部に接着された封印シールの外観、及び封印シール上のＲＦＩＤを著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
特に、外観上見やすい封印シールの特定部位に開放した形跡を明確に残すように構成したので、読み取り装置を使用せずに外観から不正行為の形跡を確認することが可能となる。
また、ガイド穴内に露出した突起の先端面に封印シールが接着されるように構成したので、ケース開放時に突起が移動することによって封印シールを著しく損傷させることが可能となり、封印シールを修復することによりＲＦＩＤの通信機能を回復させることが困難となる。
【発明を実施するための最良の形態】
【００１０】
以下、本発明を図面に示した実施の形態により詳細に説明する。
図１は本発明の基板保護ケースの外観構成を示す斜視図（透視図）であり、図２はその分解斜視図であり、図３（ａ）及び（ｂ）は上ケースを下ケースに組み付ける手順を示した斜視図であり、図４（ａ）及び（ｂ）は封印端部に封印シールを接着した状態において基板保護ケースを開放する手順を示す説明図であり、図５（ａ）（ｂ）及び（ｃ）は上ケースを開放方向へスライドさせる過程を示す断面図である。
基板保護ケース１は、ＲＯＭを始めとした電子部品を搭載した制御基板（プリント基板）Ｂを内部に収容した状態でパチンコ遊技機等の遊技機の背面側に組み付けられる。
基板保護ケース１は、ＲＯＭを搭載した制御基板（プリント基板）Ｂを間に挟んだ状態で内部に収容する透明な樹脂製の２つのケース片（下ケース片２、上ケース片１０）から構成されている。２つのケース片２、１０は、制御基板の両面と夫々対向した状態で組み付けられており、矢印で示した制御基板面と平行な方向へスライドすることにより開閉するように構成されている。
【００１１】
符号２ａは下ケース片２側に設けた長穴状のスライド係止部であり、このスライド係止部に設けた切欠き部を介して長穴内部に上ケース片１０に設けた係合突起１０ａを係合させることにより、下ケース片２に対して上ケース片１０が長手方向へスライド可能となっており、スライドさせることにより着脱（開閉）することが可能となる。
なお、符号７０は遊技機の背面側に設けた遊技機側保持部に対して基板保護ケース１を取り付けるための連結部材であり、この連結部材７０に設けたフック部７１を遊技機側保持部に設けた軸部７５に係合させることにより、基板保護ケース１は軸部７５を中心として上下方向へ回動自在に軸支することができる。基板保護ケース１の下ケース片２がこの連結部材７０により保持されるため、基板保護ケース１は遊技機側の軸部７５を中心として上下方向へ回動することができる。
【００１２】
制御基板Ｂを収容した基板保護ケース１は下ケース片２を連結部材７０を介してパチンコ遊技機等の遊技盤の背面に添設させた状態で組み付けられるため、遊技盤の背面側から上ケース片１０を通して内部の制御基板面に搭載された電子部品を視認することができる。また、連結部材の上部に設けた軸部を中心として基板保護ケース１を上方に回動させることにより、透明な下ケース片２の底面から基板保護ケース内部を確認することができる。
この例では、連結部材７０に固定された下ケース片２の内部凹所内に制御基板Ｂを配置した状態で、上ケース片１０に設けた係合突起１０ａを下ケース片２に設けたスライド係止部２ａに嵌合させることにより上ケース片１０を下ケース片２上に被せてから、上ケース片１０を図３中に矢印で示した閉止方向へスライドさせることにより両ケース片を閉止状態で結合させることができる（図１の状態）。逆に、図１の閉止状態にある基板保護ケース１を開放状態に移行させる場合には、上ケース片１０に設けた係合突起を下ケース片２に設けたスライド係止部２ａに沿って図３の矢印で示した開放方向へスライドさせてから切欠き２ａから係合突起１０ａを離脱させればよい。
下ケース片２と上ケース片１０の各一端部には封印片３、１１が突設されており、両封印片３、１１を突き合わせることにより封印端部２０が形成される。また、両封印片の端縁３ａ、１１ａ同士を突き合わせた界面には、突き合わせ部２１が形成される。
【００１３】
基板保護ケース１が図１のように閉止状態にある時に、両封印片３、１１に跨るように封印シール３０を接着することにより、封印シール３０を破損せずには突き合わせ部２１を開放できないように構成されている。
封印シール３０は一面に接着層を有した紙等の破断し易い材質から成る接着シート３１と、接着シート３１の一面に固定されたＲＦＩＤ（例えば、ＩＣタグ等の非接触型の電波による識別手段）３５と、を備えている。ＲＦＩＤ３５は、電力生成回路、変復調回路、記憶回路、制御回路を含むチップ３６と、チップ３６から反対方向に延びる二本の導体パターン３７と、各導体パターン３７の先端に夫々接続されたアンテナ部３８と、を有している。本例の封印シール３０は矩形の接着シート３１の略中心部にチップ３６を配置すると共に、チップ３６から略対角線方向へ向けて各導体パターン３７を引き出している。
【００１４】
図示しない読み取り装置からＲＦＩＤ３５に向けて読み取り用の電磁波を照射すると、アンテナ部３８が電磁波を受信し、導体パターン３７を介してチップ３６に電磁波を供給する。この電磁波によりチップ３６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
ＲＦＩＤを構成する線状の導体パターン３７は接着シート３１の略対角線方向へ延びており、導体パターン３７が突き合わせ部２１と交差するように封印シール３０を接着しておくことにより、基板保護ケースが不正に開放された場合に導体パターンの一部が断線して記憶情報の読み出しを不可能とすることができる。
即ち、基板保護ケース１を開放するために固定側の下ケース片２に対して可動側の上ケース片１０を図３中に矢印で示した開放方向（制御基板面と平行な方向）へスライドさせた際に、突き合わせ部２１が開放（スライド方向に位置ずれ）することにより接着シート３１と共にＲＦＩＤ３５の一部（チップ部３６や導体パターン３７）が破断（断線）して、ＲＦＩＤの通信機能が喪失されるように構成されている。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
【００１５】
しかし、実際には基板保護ケース１を不正に開放した際に二本の導体パターン３７のうちの一方のみが断線されたに過ぎない場合には、両ケース片２、１０を閉止状態に戻して破断した封印シール３０を修復することにより断線部が再接続により復旧して導通（読み取り装置との通信）を回復することが可能となることが判明した。
このような不具合に対処するために、本発明では、何れか一方のケース片、本例では上ケース片１０の封印片１１の制御基板面と略平行なケース片面１１Ａに、スライド方向へ延びるガイド穴４０を形成し、他方のケース片２の封印片３の内壁からガイド穴４０内へ突出する突起４５を設けて両ケース片が相対的に逆方向へスライドする際に突起４５の先端部４５ａがガイド穴４０内を相対的に移動するように構成した。
即ち、突起４５の先端部４５ａの厚みはガイド穴４０のスライド方向長よりも短尺であるために、上ケース片１０が開放方向へ移動することにより突起の先端部４５ａはガイド穴４０内を相対的に移動することができる。両ケース片が閉止位置にあるときに両封印片３、１１の各表面に跨って封印シール３０を接着すると、ガイド穴４０の少なくとも一部が封印シールにより閉止され、且つガイド穴内の突起先端部４５ａが封印シールのシール面と接着された状態となる。
【００１６】
このように封印シールによって封止された状態にある両ケース片を開放するために固定側の下ケース片２に対して上ケース片１０を開放方向へスライドさせると、ガイド穴４０が開放方向へ移動するため、ガイド穴内に先端部４５ａを位置させている突起４５が相対的に反対方向へ移動するため、ガイド穴４０を覆っていた封印シール部分は先端部４５ａと接着していた部分から破断される。
不正行為者が基板保護ケースを開放する行為を行った結果、一旦、ガイド穴４０に相当する封印シール部分に破断部が形成されると、基板保護ケースを閉止した後で破断部を修復しようとしても現状に完全に復することは極めて難しく、外観から一目瞭然となる。特に、突起先端部４５ａの面積は狭くてもガイド穴４０内に沿って突起４５が移動することにより、破断される封印シールの面積が拡大するため、修復により破断の形跡をなくすることは極めて困難となる。
【００１７】
一方、突起先端部４５ａの移動によって破断される封印シール部分にＲＦＩＤの一部、例えば導体パターン３７を位置させておくことにより接着シート３１と共にＦＲＩＤも修復不能な程度に破断させてその通信機能を喪失させることができる。この場合も、突起先端部４５ａと封印シールとの接着面積に比して、突起４５の相対的な移動によって破断される封印シールの面積範囲は大幅に広くなるため、破断された範囲に位置するＲＦＩＤの部分も修復不能な程度に確実に破断される。
特に、基板保護ケースを開放してＲＯＭを交換する等の不正行為が遊技場の営業中に行われる場合には、基板保護ケースを開放してからＲＯＭを交換し、その後基板保護ケースを閉止して封印シールを補修するのに要する時間は僅かしかないため、完全な修復は極めて困難である。
突き合わせ部２１が位置ずれすることにより、当然位置合わせ部に沿って封印シール３０が破断されるため、更に封印シールの修復は困難となる。
なお、突起先端部４５ａと封印シールの接着層との接着状態を高めて開封時における破断を確実にするために、突起先端部４５ａの面積を図示したものよりも大きくしてもよい。
突起先端部４５ａはケース片面１１Ａの外面と面一状態となるように突出長を設定してもよいし、ケース片面１１Ａの外面から僅かに突出させたり、僅かに引っ込めるようにしてもよい。
突起４５は上ケース片をスライドさせる際に折損することがないように下ケース片の内壁に強固に固定させることが好ましいが、これとは逆に突起４５を上ケース片のスライドによって折れやすく構成しておくことにより、突起４５が折損している場合に不正な開放が行われたことを判別できるようにしてもよい。
なお、下ケース片２側にガイド穴を設け、上ケース側に突起を設けても良い。
【００１８】
以上のように本発明によれば、ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる。
即ち、本発明では、何れか一方のケース片の制御基板面と略平行なケース片面に、スライド方向へ延びるガイド穴を形成し、他方のケース片の内壁から前記ガイド穴内へ突出する突起を設けて両ケース片が相対的にスライドする際に該突起が該ガイド穴内を移動するように構成したので、基板保護ケースを不正に開放した場合には、ガイド穴内に位置する突起の先端部が封印シールを破断させることとなる。このため、ケース片の端縁同士の突き合わせ部に接着された封印シール、及び封印シール上のＲＦＩＤが著しく破損されることとなり、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
また、基板保護ケースが遊技機の背面に取り付けられた状態において、ガイド穴を、遊技機に装備された遊技盤と並行なケース片面に設けたので、ガイド穴が遊技機背面側から目視可能な位置にとなり、ガイド穴を塞ぐ封印シールが破断された状態を容易に視認できる。
本発明に係る基板保護ケース１は、パチンコ遊技機、スロットマシン等の遊技機に装備される制御基板を収容する手段として利用可能である。
【図面の簡単な説明】
【００１９】
【図１】本発明の基板保護ケースの外観構成を示す斜視図（透視図）である。
【図２】図１の分解斜視図である。
【図３】（ａ）及び（ｂ）は上ケースを下ケースに組み付ける手順を示した斜視図である。
【図４】（ａ）及び（ｂ）は封印端部に封印シールを接着した状態において基板保護ケースを開放する手順を示す説明図である。
【図５】（ａ）（ｂ）及び（ｃ）は上ケースを開放方向へスライドさせる過程を示す断面図である。
【図６】従来の基板保護ケースの構成を示す斜視図である。
【図７】従来の基板保護ケースの構成を示す分解斜視図である。
【符号の説明】
【００２０】
１…基板保護ケース、２…下ケース片、２ａ…スライド係止部、３…封印片、３ａ…端縁、１０…上ケース片、１０ａ…係合突起、１１…封印片、１１Ａ…ケース片面、２０…封印端部、２１…突き合わせ部、３０…封印シール、３１…接着シート、３５…ＲＦＩＤ、３６…チップ、３７…導体パターン、３８…アンテナ部、４０…ガイド穴、４５…突起、４５ａ…突起先端部、７０…連結部材、７１…フック部、７５…軸部
【図１】
2010088500.tif 000003
【図２】
2010088500.tif 000004
【図３】
2010088500.tif 000005
【図４】
2010088500.tif 000006
【図５】
2010088500.tif 000007
【図６】
2010088500.tif 000008
【図７】
2010088500.tif 000009